(57)【要約】【課題】抽出器に収容されるコーヒー粉末の量が変化しても安定した品質のコーヒーを製造できるコーヒー製造装置を簡易な構成で実現する。【解決手段】コーヒー製造装置には、複数の注湯口が形成されて抽出部に収容されたコーヒー粉末に湯を拡散して注ぐ拡散部１６が設けられる。拡散部１６は、本体部に取り付け可能に設けられ、上方が開口した有底筒状の第１の部材１６１と、第１の部材１６１の下方に回動可能に取り付けられて上方が開口した有底筒状の第２の部材１６２と、を有する。第１の部材１６１の底部１６１ｃと第２の部材１６２の底部１６２ａとには、それぞれ複数の貫通孔が形成され、第２の部材１６２を回動することにより、前記注湯口の数が変更可能となっており、湯の拡散範囲を切り換えられる。【選択図】図３
2011019676.tif 000002
【特許請求の範囲】
【請求項１】
貯水タンクから湯の吐出口へと至る給湯通路と加熱部とを含み、湯を吐出する本体部と、
コーヒー粉末を収容可能に設けられ、収容されたコーヒー粉末に前記本体部から吐出される湯を注ぐことによりコーヒー液を抽出する抽出部と、
前記抽出部で抽出されて落下するコーヒー液を受ける容器と、
を備えるコーヒー製造装置であって、
前記本体部の前記吐出口の下部側には、複数の注湯口が形成されて前記抽出部に収容されたコーヒー粉末に湯を拡散して注ぐ拡散部が設けられ、
前記拡散部は、前記注湯口の数を変更可能に設けられて、湯の拡散範囲を切り換えられることを特徴とするコーヒー製造装置。
【請求項２】
前記拡散部は、
前記本体部に取り付け可能に設けられ、上方が開口した有底筒状の第１の部材と、
前記第１の部材の下方に回動可能に取り付けられて上方が開口した有底筒状の第２の部材と、を有し、
前記第１の部材の底部と前記第２の部材の底部とには、それぞれ複数の貫通孔が形成され、
前記第２の部材を回動することにより、前記注湯口の数が変更されることを特徴とする請求項１に記載のコーヒー製造装置。
【請求項３】
前記第２の部材は、第１の位置と第２の位置との間を回動可能に設けられ、
前記第１の位置と前記第２の位置との選択により、前記拡散範囲の切り換えが行われることを特徴とする請求項２に記載のコーヒー製造装置。
【請求項４】
前記第２の部材の外部側面には、把手が設けられていることを特徴とする請求項２又は３に記載のコーヒー製造装置。
【請求項５】
前記第１の部材は、上方の幅広部と、前記幅広部と段差を有して連続する下方の幅狭部と、を有し、
前記第１の部材には、前記幅広部の周縁部から下方側に延出して、前記第２の部材の外部側面を覆うように配置されるカバー部が設けられ、
前記カバー部の一部には開口が形成されて、前記第２の部材の外部側面に設けられる把手が前記カバー部の開口から外部に突出していることを特徴とする請求項２から４のいずれかに記載のコーヒー製造装置。
【請求項６】
前記拡散部は浄水材を有することを特徴とする請求項１から５のいずれかに記載のコーヒー製造装置。
【請求項７】
前記第１の部材の内側底部には、浄水材が収容されたフィルタが載置されていることを特徴とする請求項２から５のいずれかに記載のコーヒー製造装置。
【発明の詳細な説明】
【技術分野】
【０００１】
本発明は、ドリップ方式でコーヒーを製造するコーヒー製造装置に関する。
【背景技術】
【０００２】
従来、家庭用のコーヒー製造装置として、ドリップ方式のコーヒー製造装置が広く使用されている。この種のコーヒー製造装置では、例えば、貯水タンクからパイプを通して案内される水を発熱体で加熱して熱湯とし、この熱湯を吐出口から吐出してフィルタ付きの抽出器に収容されたコーヒー粉末に注ぐ。そして、抽出器によってコーヒー液を抽出し、このコーヒー液を抽出器の下方に配置される容器で受けるようになっている。
【０００３】
ドリップ方式によってコーヒー液を抽出する場合、抽出器に収容されるコーヒー粉末に満遍なく湯を注ぐことによって、香りが良く、コクのある美味しいコーヒーが得られるとされる。このため、従来のドリップ方式のコーヒー製造装置の中には、コーヒー粉末の上方に設けた湯を吐出する吐出口に熱湯拡散板を設けて、熱湯がコーヒー粉末の全域に注がれるようにしたものがある（特許文献１参照）。
【０００４】
ところで、コーヒー製造装置でコーヒーを製造する場合、製造しようとするコーヒーの量に応じて、抽出器に収容するコーヒー粉末の量も変化させる。このため、吐出口から吐出される熱湯について、コーヒーの製造量によらず同じように拡散させてコーヒー粉末に注ぐ構成とすると、製造しようとするコーヒーの量の変化によって、コーヒー粉末の全域に熱湯を注げない場合が起こり得る。また、吐出口から吐出される熱湯が拡散しすぎて、一部の熱湯が、コーヒー粉末が収容されるフィルタに直接注がれてしまう場合が起こり得る。フィルタに直接熱湯が注がれた場合、その湯はコーヒー粉末を通過せずに、抽出器の下方に配置される容器に落下することになり、コーヒーの味等を損なう要因となってしまう。
【０００５】
この点、特許文献２には、抽出器（ドリッパー）に収容されるコーヒー粉末の量が変化しても安定した品質のコーヒーを抽出することができるコーヒー抽出機が開示されている。具体的には、このコーヒー抽出機では、注湯ノズル（吐出口）とドリッパーとの間に注湯分散器を回転可能に設け、該注湯分散器の内部を隔壁によって内周部の第１注湯部と外周部の第２注湯部とに区画し、各注湯部の底部に注湯孔をそれぞれ設けている。そして、注湯ノズルとして、第１注湯部に注湯する第１注湯ノズルと、第２注湯部に注湯する第２注湯ノズルとを設けるとともに、注湯分散器を回転させる駆動手段としてのモータと、各注湯ノズルからの注湯を制御する注湯弁（電磁弁）とを設ける構成としている。
【０００６】
これによれば、ドリッパーに収容されるコーヒー粉末の量が少なくて中央部にある場合には、第１注湯ノズルから第１注湯部に注湯しながら注湯分散器を回転させることによって、ドリッパー内のコーヒー粉末全体に適量の湯を注ぐことができる。また、ドリッパーに収容されるコーヒー粉末の量が多くてドリッパーの広い範囲にコーヒー粉末がある場合には、第１注湯ノズル及び第２注湯ノズルの双方から湯を注ぐことにより、第１注湯部及び第２注湯部の各注湯孔からドリッパー内のコーヒー粉末全体に適量の湯を注ぐことができる。そして、これによれば、吐出口から吐出される熱湯が拡散しすぎて、一部の熱湯が、コーヒー粉末が収容されるフィルタに直接注がれてしまうという事態も防ぐことができる。
【先行技術文献】
【特許文献】
【０００７】
【特許文献１】特開昭６１−７３６２０号公報
【特許文献２】特開２００８−１１３９７２号公報
【発明の概要】
【発明が解決しようとする課題】
【０００８】
しかしながら、特許文献２の構成の場合、複数の注湯ノズルを設ける構成となり、更に、各注湯ノズルについて注湯を制御する電磁弁をそれぞれ設ける必要がある。また、注湯分散器を回転するモータも必要となる。このために、特許文献２に開示される構成を採用したコーヒー製造装置は、大型化しやすく、部品点数も多くなってしまう。このために、例えば、コスト面や製造時における作業負担を考慮すると、必ずしも望ましい構成とは言えない。
【０００９】
そこで、本発明の目的は、抽出器に収容されるコーヒー粉末の量が変化しても安定した品質のコーヒーを製造できるコーヒー製造装置を簡易な構成で実現することである。
【課題を解決するための手段】
【００１０】
上記目的を達成するために本発明のコーヒー製造装置は、貯水タンクから湯の吐出口へと至る給湯通路と加熱部とを含み、湯を吐出する本体部と、コーヒー粉末を収容可能に設けられ、収容されたコーヒー粉末に前記本体部から吐出される湯を注ぐことによりコーヒー液を抽出する抽出部と、前記抽出部で抽出されて落下するコーヒー液を受ける容器と、を備えるコーヒー製造装置であって、前記本体部の前記吐出口の下部側には、複数の注湯口が形成されて前記抽出部に収容されたコーヒー粉末に湯を拡散して注ぐ拡散部が設けられ、前記拡散部は、前記注湯口の数を変更可能に設けられて、湯の拡散範囲を切り換えられることを特徴としている。
【００１１】
本構成においては、拡散部が湯の拡散範囲を切り換えられるようになっている。このために、抽出部に収容されるコーヒー粉末の量に応じて湯の拡散範囲の変更を行って、コーヒー粉末に満遍なく湯を注ぐことが可能である。また、拡散した湯がコーヒー粉末を収容する抽出部のフィルタに直接注がれるという事態も防止することが可能である。すなわち、本構成のコーヒー製造装置によれば、コーヒー粉末の量によらず、香りが良く、コクのある美味しいコーヒーを安定して製造することが可能である。そして、本構成では、拡散部を注湯口の数を変更可能な構成とすることで、湯の拡散範囲の切り換えを可能としており、コーヒー製造装置の構成は簡易なものとできる。
【００１２】
上記構成のコーヒー製造装置において、前記拡散部は、前記本体部に取り付け可能に設けられ、上方が開口した有底筒状の第１の部材と、前記第１の部材の下方に回動可能に取り付けられて上方が開口した有底筒状の第２の部材と、を有し、前記第１の部材の底部と前記第２の部材の底部とには、それぞれ複数の貫通孔が形成され、前記第２の部材を回動することにより、前記注湯口の数が変更されることとするのが好ましい。
【００１３】
本構成によれば、拡散部に湯の拡散範囲を切り換える機能を設けるにあたって、簡易な構成を有する第１の部材と第２の部材とを用意すればよい。このために、湯の拡散範囲を切り換える構成を低コストで実現できるとともに、装置が大型化することも避けられる。
【００１４】
上記構成のコーヒー製造装置において、前記第２の部材は、第１の位置と第２の位置との間を回動可能に設けられ、前記第１の位置と前記第２の位置との選択により、前記拡散範囲の切り換えが行われるのが好ましい。
【００１５】
本構成によれば、ユーザはコーヒー粉末の量が多いか、少ないかのいずれかを判断して、拡散部の切り換えを行えば良いこととでき、使い勝手の良いコーヒー製造装置を提供できる。また、回動範囲の限界位置の選択で湯の拡散範囲の切り換えるが行えることとしているために、切り換え操作が容易となる。
【００１６】
上記構成のコーヒー製造装置において、前記第２の部材の外部側面には、把手が設けられているのが好ましい。
【００１７】
本構成によれば、ユーザは把手を用いて第２の部材を回動して、湯の拡散範囲の切り換えを行える。このため、湯の拡散範囲の切り換え操作が容易となる。
【００１８】
上記構成のコーヒー製造装置において、前記第１の部材は、上方の幅広部と、前記幅広部と段差を有して連続する下方の幅狭部と、を有し、前記第１の部材には、前記幅広部の周縁部から下方側に延出して、前記第２の部材の外部側面を覆うように配置されるカバー部が設けられ、前記カバー部の一部には開口が形成されて、前記第２の部材の外部側面に設けられる把手が前記カバー部の開口から外部に突出していることとしてもよい。
【００１９】
本構成によれば、カバー部の存在により、拡散部を本体部に取り付ける際に、回動する第２の部材に触れることなく、取り付け作業を行える。このために、拡散部の本体部への取り付けが行い易い。また、本構成では、把手を用いて第２の部材を回動させることができ、湯の拡散範囲の切り換え操作が容易である。
【００２０】
上記構成のコーヒー製造装置において、前記拡散部は浄水材を有するのが好ましい。その場合の具体的な構成として、前記第１の部材の内側底部に、浄水材が収容されたフィルタが載置されている構成とすることができる。
【００２１】
本構成によれば、拡散部は浄水部としての機能も兼ねることになる。すなわち、装置構成を複雑とすることなく、美味しいコーヒーを製造できるコーヒー製造装置の実現が可能となる。
【発明の効果】
【００２２】
本発明によれば、抽出器に収容されるコーヒー粉末の量が変化しても安定した品質のコーヒーを製造できるコーヒー製造装置を簡易な構成で実現することができる。
【図面の簡単な説明】
【００２３】
【図１】本実施形態のコーヒー製造装置の構成を示す概略側面図
【図２】図１の方向Ａに沿って本実施形態のコーヒー製造装置を見た場合の概略平面図
【図３】本実施形態のコーヒー製造装置が備える拡散部の構成を示す図
【図４】本実施形態の拡散部を構成する第１の部材の底部を外側から見た概略平面図
【図５】本実施形態の拡散部を構成する第２の部材の底部を外側から見た概略平面図
【図６】本実施形態のコーヒー製造装置が備える拡散部の底部を外側から見た概略平面図
【図７】本実施形態のコーヒー製造装置が備える拡散部の作用を説明するための模式図
【図８】本実施形態のコーヒー製造装置が備える拡散部の構成の変形例を示す図
【発明を実施するための形態】
【００２４】
以下、本発明のコーヒー製造装置の実施形態について図面を参照しながら詳細に説明する。
（コーヒー製造装置の概略構成）
まず、本実施形態のコーヒー製造装置の概略構成について、図１及び図２を参照しながら説明する。図１は、本実施形態のコーヒー製造装置の構成を示す概略側面図である。図２は、図１の方向Ａに沿って本実施形態のコーヒー製造装置を見た場合の概略平面図である。なお、図１及び図２においては、コーヒー製造装置１の本体部１０の内部に存在する部分や、容器４０内に存在する部分を破線（矢印破線は除く）で示している。
【００２５】
コーヒー製造装置１の本体部１０は、コーヒーを製造するために使用する水が貯留される貯水タンク２０が載置される貯水タンク載置部１１と、抽出器３０で抽出されたコーヒー液を受ける容器４０を載置する容器載置部１２と、を備えている。また、本体部１０の一側面には、コーヒー製造装置１のオンオフを行うための電源スイッチ１３も設けられている。
【００２６】
コーヒー製造装置１の本体部１０の内部側であって、容器載置部１２の下部側には、シーズヒータ等によって形成される加熱部１４が略Ｕ字状に配置されている。また、本体部１０の内部には、貯水タンク２０の下部側から流出する水を本体部１０の上部に設けられる吐出口１８へと導く給湯通路１５が設けられている。この給湯通路１５は、主にアルミニウム製のパイプやシリコンチューブを用いて形成されている。
【００２７】
給湯通路１５を構成するパイプの一部は、加熱部１４と接触するように配置されており、貯水タンク２０から給湯通路１５へと供給される水は、加熱部１４から熱をもらって熱せられるようになっている。このため、貯水タンク２０から流出した水は、湯となって本体部１０の吐出口１８から吐出される。
【００２８】
なお、加熱部１４は、上述の給湯通路１５を流れる水を加熱する以外に、容器載置部１２に置かれた容器４０を保温する機能も有する。また、加熱部１４から熱をもらって温められた高温水が貯水タンク２０に逆流しないように、給湯通路１５の貯水タンク２０寄りには図示しない逆止弁が組み込まれている。
【００２９】
また、コーヒー製造装置１の本体部１０の湯を吐出する吐出口１８の下部側には、抽出器３０に収容されたコーヒー粉末に均一に湯が注がれるように、湯を拡散する拡散部１６が設けられている。この拡散部１６は、製造するコーヒーの量の変動によらず、安定した品質のコーヒーが得られるように、湯の拡散範囲の切り換えが行えるようになっている。また、この拡散部１６には、浄水機能を有する浄水材の一例として活性炭が収容されており、拡散部１６は浄水部としての機能も有する。このような拡散部１６の詳細な構成については、後述する。
【００３０】
本実施形態のコーヒー製造装置１では、貯水タンク２０への水の貯めやすさ、貯水タンク２０の掃除のしやすや等を考慮して、貯水タンク２０は本体部１０に対して着脱可能となっている。貯水タンク２０に貯める水の量は、製造するコーヒーの量によって変えられるものであり、コーヒーの製造量に合わせて決める必要がある。
【００３１】
抽出器３０は容器４０に着脱自在に嵌合されて使用されるものであり、蓋部３１と漏斗状の収容部３２と、からなる。蓋部３１の中央側には図示しない開口が形成されており、拡散部１６から注がれる湯が収容部３２へと落下するようになっている。収容部３２には、所定の形状に折り畳まれた紙製或いは布製のフィルタ（図示せず）が内側にセットされ、このフィルタ内側に、製造しようとするコーヒーの量に見合ったコーヒー粉末が収容される。抽出器３０のフィルタに収容されたコーヒー粉末に本体部１０から湯を注ぐことにより、コーヒー液が抽出されて収容部３２から容器４０へと落下し、コーヒーが製造される。
【００３２】
このように構成されるコーヒー製造装置１の動作について説明する。まず、ユーザが、製造しようとするコーヒーの量に見合った水及びコーヒー粉末を準備する。具体的には、所定量の水が貯水タンク２０に貯留され、所定量のコーヒー粉末が抽出器３０の収容部３２内にセットされたフィルタ上に載置され、貯水タンク２０及び抽出器３０が所定の場所にセットされる。そして、ユーザによって電源スイッチ１３がオンされることによって、コーヒー製造装置１によるコーヒーの製造が開始される。
【００３３】
貯水タンク２０から給湯通路１５へと供給された水は、加熱部１４によって温められ、沸騰圧によって本体部１０の吐出口１８から吐出され、拡散部１６を経て抽出器３０に収容されるコーヒー粉末に注がれる（図１及び図２の破線矢印参照）。抽出器３０は、コーヒー粉末に湯が注がれるとコーヒー液を抽出する。抽出されたコーヒー液は容器４０によって受けられる。貯水タンク２０から供給される水がなくなり、抽出器３０から落下するコーヒー液がなくなった時点でコーヒーの製造は終了となる。コーヒーの製造が終了した後も加熱部１４は動作を続け、容器載置部１２に載置される容器４０を保温する。
（拡散部の構成）
上述のように、本実施形態のコーヒー製造装置１の拡散部１６は、製造するコーヒーの量に合わせて湯の拡散範囲を切り換えられるようになっている。以下、この拡散部１６の構成について詳細に説明する。
【００３４】
図３は、本実施形態のコーヒー製造装置が備える拡散部の構成を示す図で、図３（ａ）は拡散部の構成を示す概略斜視図、図３（ｂ）は拡散部の構成を示す概略側面図、図３（ｃ）は拡散部の構成を示す概略断面図である。なお、図３（ｃ）に示す断面図は、図３（ｂ）のＢ−Ｂ位置における断面図である。
【００３５】
図３に示すように、拡散部１６は、本体部１０に取り付け可能に設けられ、上方に開口を有する有底筒状の第１の部材１６１と、第１の部材１６１の下方に回動可能に取り付けられて上方が開口した有底筒状の第２の部材１６２と、を有する。
【００３６】
有底筒状に設けられる第１の部材１６１は、詳細には、図３（ｃ）に示すように、上方が外径の大きな幅広部１６１ａとなっており、下方が幅広部１６１ａと段差を有して連続し、外径の小さい幅狭部１６１ｂとなっている。第１の部材１６１の上方周縁には、径方向外側に向かって突出する３つの突出部１６１１が、互いに略等間隔となるように設けられている。第１の部材１６１を、本体部１０の吐出口１８近傍に設けられる取付部（図示しない）に所定の方向となるように配置して嵌め込み、嵌め込み後に回転することで突出部１６１１が本体部の一部１０と係合する。これにより、第１の部材１６１は本体部１０に固定される。
【００３７】
第１の部材１６１の内側底面上には、図３においては図示しない浄水材（例えば活性炭）がフィルタに収容された状態で載置されるようになっている。そして、この第１の部材１６１の内側底面上に載置される浄水材入りのフィルタを固定するために、第１の部材１６１の内部側にはフィルタ押さえ部材１６１２が収容される。なお、図３（ｃ）の第１の部材１６１の底部１６１ｃ内側とフィルタ押さえ部材１６１２との間の隙間Ｓが浄水材入りのフィルタを載置する部分である。また、フィルタ押さえ部材１６１２は、浄水材入りのフィルタをしっかり固定すると共に、なるべく湯の通り道が広範囲となり、且つ、湯が通る範囲において湯の通過量に偏りが生じないように構成されている。
【００３８】
図４は、本実施形態の拡散部を構成する第１の部材の底部を外側から見た概略平面図である。図４に示すように、第１の部材１６１の底部１６１ｃには、第２の部材１６２が有する回動軸１６２１（詳細は後述する）が挿入される平面視略円形状の第１の貫通孔１６１３と、第１の貫通孔１６１３を囲むように配置される４つの平面視略扇状の第２の貫通孔１６１４と、第２の貫通孔１６１４を囲むように周方向に略等間隔に配置される８つの第３の貫通孔１６１５と、が形成されている。なお、第３の貫通孔１６１５は、平面視略円形状の貫通孔と、平面視非円形状の貫通孔とが１つおきに配置される構成となっている。
【００３９】
なお、図４においては、活性炭入りのフィルタ１７が第１の部材１６１の内側底面上に載置されており、各貫通孔１６１３、１６１４、１６１５からこのフィルタ１７が見えた状態となっている。図４の色を塗った部分は、フィルタ１７が見えていることを示している。
【００４０】
有底筒状に設けられる第２の部材１６２は、図３（ｃ）に示すように、内径が第１の部材１６１の幅狭部１６１ｂの外径よりも大きく、該幅狭部１６１ｂの外部側面を覆うように配置されている。第２の部材１６２の底部１６２ａ内側には、上方に向かって突出し、第１の部材１６１の第１の貫通孔１６１３に挿入されることによって、第２の部材１６２を第１の部材１６１に回動可能に保持する回動軸１６２１が形成されている。回動軸１６２１は、第１の部材１６１から第２の部材１６２が抜け落ちないように、上部側が幅広となる段差構造を有している。
【００４１】
また、第２の部材１６２の外部側面には、ユーザが第２の部材１６２を回動させ易いように、把手１６２２が設けられている。この把手１６２２は、第２の部材１６２に一体的に設けられている。
【００４２】
図５は、本実施形態の拡散部を構成する第２の部材の底部を外側から見た概略平面図である。図５に示すように、第２の部材１６２の底部１６２ａの中央寄り（図５の仮想破線より内側）には平面視略円形状の第１の貫通孔１６２３が周方向に４つ、略等間隔に配置されている。また、この４つの第１の貫通孔１６２３を囲むように、第２の部材１６２の底部１６２ａ外周寄りには、平面視略円形状の第２の貫通孔１６２４が周方向に８つ、略等間隔に配置されている。
【００４３】
図６は、本実施形態のコーヒー製造装置が備える拡散部の底部を外側から見た概略平面図で、図６（ａ）は拡散部を構成する第２の部材が第１の位置にある場合の状態を示し、図６（ｂ）は拡散部を構成する第２の部材が第２の位置にある場合の状態を示している。
【００４４】
拡散部１６は、第２の部材１６２を回動して、その位置を切り換えることにより湯を拡散する範囲の切り換えが行えるようになっている。そして、本実施形態においては、拡散部１６は、拡散範囲が広い場合と狭い場合との２段階の切り換えを行えるようになっている。この２段階のうち、一方は第２の部材１６２が第１の位置にある場合（図６（ａ）の状態）に得られ、他方は第２の部材１６２が第２の位置にある場合（図６（ｂ）の状態）に得られる。
【００４５】
なお、本実施形態においては、第２の部材１６２には把手１６２２が設けられており、この把手１６２２の位置によって第２の部材１６２が第１の位置にあるか、それとも第２の位置にあるかが判断されるようになっている。すなわち、把手１６２２が図６の位置Ｐ１にある場合に第２の部材１６２は第１の位置にあると判断され、把手１６２２が図６の位置Ｐ２にある場合に第２の部材１６２は第２の位置にあると判断される。
【００４６】
ところで、拡散部１６における第１の部材１６１に対する第２の部材１６２の回動量に制限がない場合には、この第２の部材１６２を第１の位置と第２の位置とに合わせ難くなる。このため、本実施形態においては、第２の部材１６２の回動範囲の一方向の限界を第１の位置（把手１６２２が位置Ｐ１にある状態）とし、他方向の限界を第２の位置（把手１６２２が位置Ｐ２にある状態）としている。これにより、ユーザは、第１の位置と第２の位置とに容易に合わせることができる。
【００４７】
なお、このような回動範囲の規制は、例えば、第２の部材１６２の内部側底面に図示しない小突起を複数設け、この小突起が第１の部材１６１における第２の貫通孔１６１３の壁面と当接する位置を回動限界とするという構成を導入することによって実現できる。
【００４８】
第２の部材１６２が第１の位置にある場合（把手１６２２が位置Ｐ１にある場合）においては、第２の部材１６２における第１の貫通孔１６２３は、第１の部材１６１における第２の貫通孔１６１４と重なり、全く塞がれていない状態となる。また、第２の部材１６２における第２の貫通孔１６２４が、第１の部材１６１における第３の貫通孔１６１５と重なり、全く塞がれていない状態となる。すなわち、第２の部材１６２が第１の位置にある場合、第２の部材１６２における第１及び第２の貫通孔１６２３、１６２４の全て（計１２個）が注湯口として機能する。
【００４９】
一方、第２の部材１６２が第２の位置ある場合（把手１６２２が位置Ｐ２にある場合）においては、第２の部材１６２における第１の貫通孔１６２３は、第１の部材１６１における第２の貫通孔１６１４と重なり、全く塞がれていない状態となる。これとは反対に、第２の部材１６２における第２の貫通孔１６２４は、第１の部材１６１における第３の貫通孔１６１５と重なることなく、第１の部材１６１の底部１６１ｃによって完全に塞がれた状態となる。すなわち、第２の部材１６２が第２の位置にある場合、第２の部材１６２における第１の貫通孔１６２３のみが注湯口として機能する。
【００５０】
なお、図６においては、第２の部材１６２の各貫通孔１６２３、１６２４が第１の部材１６１によって塞がれていない状態を、活性炭入りのフィルタ１７が見える状態で示している。また、第２の部材１６２の第２の貫通孔１６２４が第１の部材１６１によって塞がれた状態を、バツ印で示している。
【００５１】
図７は、本実施形態のコーヒー製造装置が備える拡散部の作用を説明するための模式図で、図７（ａ）は拡散部の第２の部材が第１の位置にある場合を示し、図７（ｂ）は拡散部の第２の部材が第２の位置にある場合を示している。
【００５２】
図７（ａ）に示すように、拡散部１６の第２の部材１６２が第１の位置にある場合（把手１６２２が位置Ｐ１にある場合）には、第２の部材１６２の底部１６２ａに形成される貫通孔１６２３、１６２４の全てが、注湯口として機能する（この場合の注湯口の数は１２個である）。このため、拡散部１６から抽出器３０に向かって注がれる湯の拡散範囲は広いものとなる。
【００５３】
一方、図７（ｂ）に示すように、拡散部１６の第２の部材１６２が第２の位置にある場合（把手１６２２が位置Ｐ２にある場合）には、第２の部材１６２の底部１６２ａに形成される貫通孔１６２３、１６２４のうち、内側にある第１の貫通孔１６２３のみが、注湯口として機能する（この場合の注湯口の数は４個である）。このため、拡散部１６から抽出器３０に向かって注がれる湯の拡散範囲は狭いものとなる。
【００５４】
以上のように、本実施形態のコーヒー製造装置１においては、拡散部１６における第２の部材１６２の位置を第１の位置とするか、第２の位置とするかを選択することによって、注湯口の数を変更して、湯の拡散範囲を変更できる。このために、ユーザは、抽出器３０の収容部３２に収容されるコーヒー粉末の量（コーヒーの製造量）に基づいて、第２の部材１６２の位置を適切に選択すれば、香りが良く、コクのある美味しいコーヒーを安定して製造することが可能となる。
【００５５】
詳細には、抽出器３０の収容部３２に収容されるコーヒー粉末が多い場合には、拡散部１６の第２の部材１６２の位置を第１の位置とすることで、コーヒー粉末に満遍なく湯を注げることになり、香りが良く、コクのある美味しいコーヒーを製造可能となる。
【００５６】
一方、抽出器３０の収容部３２に収容されるコーヒー粉末が少ない場合には、拡散部１６の第２の部材１６２の位置を第２の位置とすることで、コーヒー粉末に満遍なく湯を注げる。また、この効果と共に、湯がコーヒー粉末の入れられたフィルタに直接注がれて、コーヒー粉末を通過することなく容器４０に落下するという事態も避けられる。このため、抽出器３０の収容部３２に収容されるコーヒー粉末が少ない場合にも、香りが良く、コクのある美味しいコーヒーを製造可能となる。
（その他）
以上、本発明の実施態様につき説明したが、本発明の範囲は以上に示した実施形態に限定されるものではなく、発明の主旨を逸脱しない範囲で種々の変更を加えて実施することができる。
【００５７】
例えば、拡散部１６を構成する第１の部材１６１を図８に示すような構成としてもよい。図８は、本実施形態のコーヒー製造装置が備える拡散部の構成の変形例を示す図で、図８（ａ）は拡散部の側面図、図８（ｂ）は図８（ａ）のＣ−Ｃ位置における断面図、図８（ｃ）は、図８（ａ）の方向Ｄに沿って見た場合の側面図である。
【００５８】
この変形例においても、上述の実施形態と同様に、第１の部材１６１は、上方が外径の大きな幅広部１６１ａ、下方が幅広部１６１ａと段差を有して連続する外径の小さい幅狭部１６１ｂとなっている。ただし、幅広部１６１ａの周縁部から下方側に延出し、第１の部材１６１に取り付けられる第２の部材１６２の外部側面を覆うように形成されるカバー部１６１ｄが設けられる点が異なる（図８（ｂ）参照）。このようなカバー部１６１ｄを設けると、ユーザは回動する第２の部材１６２に触れ難い状態で拡散部１６を本体部１０に取り付けることができ、拡散部１６の本体部１０への取り付けが容易となる。
【００５９】
また、図８（ｃ）に示すように、カバー部１６１ｄには開口１６１６が設けられ、この開口１６１６から第２の部材１６２の外部側面に設けられる把手１６２２が外部に突出している。このため、ユーザは第１の部材１６１にカバー部１６１ｄを設けたにもかかわらず、第２の部材１６２を容易に回動できる。
【００６０】
そして、この構成の場合、開口１６１６の内壁に把手１６２２が当たることによって第２の部材１６２の回動範囲を規制できる。このため、例えば、把手１６２２が左回りの回動限界である位置Ｐ１にある場合を、第２の部材１６２が上述の第１の位置にある場合とし、把手１６２２が右回りの回動限界である位置Ｐ２にある場合を、第２の部材１６２が上述の第２の位置にある場合とすればよい。これにより、ユーザは、拡散部１６の湯の拡散範囲を容易に変更することが可能となる。
【００６１】
また、拡散部１６を構成する第１の部材１６１の底部１６１ｃ及び第２の部材１６２の底部１６２ａに形成する貫通孔の数、形状、位置については、本実施形態の構成に限定されず種々の変更が可能である。要は、第１の部材１６１に対して第２の部材１６２を回動することによって、注湯口の数を変更して湯の拡散範囲を切り換えられる構成であれば、他の構成でも構わないのである。また、湯の拡散範囲の切り換えについて、本実施形成では２段階としているが３段階以上でも構わない。
【００６２】
その他、本実施形態では、コーヒー製造装置１が備える貯水タンク２０を本体部１０に対して着脱可能としているが、貯水タンク２０を本体部１０と一体的に設けたり、固着したりしても構わない。また、本実施形態のコーヒー製造装置１では、給湯通路１５を通る水を加熱部１４で加熱する構成としている。しかし、貯水タンク２０に入った水を沸かす加熱部を設けておいて、加熱した湯を、給湯通路１５を介して吐出する構成のコーヒー製造装置にも本発明は適用可能である。
【産業上の利用可能性】
【００６３】
本発明は、例えば、一般家庭で使用されるコーヒーメーカーに好適である。
【符号の説明】
【００６４】
１    コーヒー製造装置
１０  本体部
１４  加熱部
１５  給湯通路
１６  拡散部
１７  浄水材入りフィルタ
１８  吐出口
２０  貯水タンク
３０  抽出器
４０  容器
１６１  第１の部材
１６１ａ  幅広部
１６１ｂ  幅狭部
１６１ｃ  第１の部材の底部
１６１ｄ  カバー部
１６２  第２の部材
１６２ａ  第２の部材の底部
１６１４  第１の部材の第２の貫通孔
１６１５  第２の部材の第３の貫通孔
１６１６  カバー部の開口
１６２２  把手
１６２３  第２の部材の第１の貫通孔（注湯口）
１６２４  第２の部材の第２の貫通孔（注湯口）
【図１】
2011019676.tif 000003
【図２】
2011019676.tif 000004
【図３】
2011019676.tif 000005
【図４】
2011019676.tif 000006
【図５】
2011019676.tif 000007
【図６】
2011019676.tif 000008
【図７】
2011019676.tif 000009
【図８】
2011019676.tif 000010